(57)【要約】【課題】掘削装置におけるリングビットとケーシングシューとの接続を、簡易且つ確実に行うこと。【解決手段】ケーシング７の下端部に接合するケーシングシュー８と、ケーシング７およびケーシングシュー８へ回転可能に挿入されるパイロットビット５と、パイロットビット５の下端部外周部分へ継手要素を介して取付けられるリングビット６とを具備する。リングビット６は、ケーシングシュー８へ挿入され、外周面に溝部６ｄが形成された筒状部６ｂを有する。ケーシングシュー８は、リングビット６の筒状部６ｂの外周面と対向しかつ溝部６ｄに対向して位置する溝部８ｅが形成された内周面を有する。リングビット６とケーシングシュー８とは、両溝部６ｄ，８ｅの間に挿入され、これら溝部６ｄ，８ｅと干渉する連接部材１０を介して相対移動可能に接続される。【選択図】図１２
2019112833.tif 000002
【特許請求の範囲】
【請求項１】
上下に伸長する円管部材からなるケーシングと、
このケーシングの下端部に同軸状に接合した円筒部材からなるケーシングシューと、
前記ケーシングおよびケーシングシューへ回転可能に挿入されるパイロットビットと、
このパイロットビットの下端部外周部分へ継手要素を介して着脱自在に取り付けられるリングビットとを具備する掘削装置において、
前記リングビットは、前記ケーシングシューへ挿入されかつ外周面に第１係止部が形成された筒状部を有し、
前記ケーシングシューは、前記リングビットの筒状部の外周面と対向しかつ前記第１係止部に対向して位置する第２係止部が形成された内周面を有し、
前記リングビットと前記ケーシングシューとは、前記第１係止部と前記第２係止部との間に挿入されかつこれら２つの係止部と干渉する連接部材を介して相対移動可能に接続されていることを特徴とする掘削装置。
【請求項２】
前記第１係止部は、前記リングビットの筒状部の外周面に形成された溝であり、前記第２係止部は、前記ケーシングシューの内周面に形成された溝であることを特徴とする請求項１に記載の掘削装置。
【請求項３】
前記連接部材は、円環状のワイヤーからなり、その内周側が前記第１係止部に収納され、かつその外周側が前記第２係止部に収納される寸法に形成されていることを特徴とする請求項１または２に記載の掘削装置。
【請求項４】
請求項３に記載の掘削装置の組立方法であって、
前記ケーシングシューにその外周面から前記第２係止部に至るワイヤー挿入孔を開口しておき、このワイヤー挿入孔に前記ケーシングシューの外側から前記ワイヤーを挿入して、このワイヤーを前記第１係止部と前記第２係止部との間に装着することを特徴とする掘削装置の組立方法。
【発明の詳細な説明】
【技術分野】
【０００１】
本発明は、地盤に削孔を形成しながら鋼管等からなるケーシングを打ち込むための掘削装置及びその組立方法に関するものである。
【背景技術】
【０００２】
地盤に削孔を形成しながら鋼管等からなるケーシングを打ち込む技法として、従来よりいわゆるクリッド工法（通称ＣＲＩＤ工法）が存在する。さらにクリッド工法のうち、打ち込んだケーシングを地中に残したままこれを本杭として利用する、中堀工法（ＤＰＲタイプ）が近年利用されている。この中堀工法は、杭の建込、根固めを正確かつ確実に行うことができ、また、軟弱地盤から玉石・転石・岩盤層に至るまで様々な地盤に対して円滑に打設できる等の優れた利点を有する。
【０００３】
前記中堀工法においては、回転駆動力源としてのアースオーガと、アースオーガからの回転駆動力を伝達しかつ掘削した土を排出するためのスクリューロッドと、スクリューロッドを介して伝達された回転駆動力によって地盤を切削するパイロットビットと、このパイロットビットと着脱自在に接続するリングビットと、打ち込みに用いられるダウンザホールハンマーと、杭として埋め込まれるケーシングとから構成された掘削装置が一般的に用いられる。
【０００４】
前記掘削装置を用いて削孔作業を行うには、所定の形に装置を立設する必要がある。この立設作業は、アースオーガ、スクリューロッド、ダウンザホールハンマーおよびパイロットビットを所定の形のアセンブリに組立て、これを装置固定枠体によって略鉛直に起立させられたケーシングのなかへ、クレーンを用いて挿入するといった手順で行なわれる。
【０００５】
前記アセンブリは、最上部にアースオーガが配設され、その下方にスクリューロッドおよびダウンザホールハンマーが接続し、さらにその下方にパイロットビットが取付けられている。また、前記起立させられたケーシングの下方には、ケーシングシューが溶接によって接合され、さらにその下端部にリングビットが配設されている。
【０００６】
ケーシングのなかへ挿入された前記アセンブリの下端部には、パイロットビットが取付けられており、当該パイロットビットと起立させられたケーシングの下方に配設されたリングビットとを、例えばバヨネットマウントを用いて、着脱自在かつ回転伝達可能な状態に接続（チャッキング）する。
【０００７】
前記一連の作業によって、掘削装置を立設した後、杭芯に位置合せた状態でアースオーガを起動して削孔作業を開始する。アースオーガの回転駆動力は、スクリューロッドを通じてパイロットビットおよびリングビットへと伝達され、回転するパイロットビットおよびリングビットの先端部に設けられたドリル片の切削作用により地盤が掘削される。掘削された地盤の土は、スクリューロッドおよび加圧空気によって上方へと送られ地表に排出される。当該地盤の掘削とあわせて、ダウンザホールハンマーを用いてパイロットビットへ押圧力（打ち込み力）を印加し、これにより下方推進力がパイロットビットに付与され削孔作業をより迅速に進めることが可能となっている。
【０００８】
前記削孔作業によって所定の深さまで地盤が削孔されると、パイロットビットとリングビットとの接続（チャッキング）を解除し、パイロットビット、スクリューロッドおよびダウンザホールハンマーを引き抜いてこれら部品を回収する。ケーシングおよびリングビットは、地中に残したまま本杭として利用される。
【０００９】
前記立設作業および削孔作業を円滑かつ効率的に行なうためには、ケーシングの下端部に接合されたケーシングシューとリングビットが、相対移動（回転および軸方向移動）可能であって、かつ軸方向に連接する（外れない）構造（以下、単に連接構造という）が有用である。なぜなら、パイロットビットおよびリングビットによって形成された削孔にケーシングを効率的に埋め込むためには、パイロットビットおよびリングビットが削孔を形成するスピードと連動して、ケーシングを下方へ引き込む機構が必要であり、そのための機構として前記連接構造が有効だからである。また、前記連接構造によれば、前記立設作業のなかで、ケーシング内にスクリューロッド及びパイロットビットを挿入して、ケーシングの下端に連結されたリングビットにパイロットビットを接続する作業を容易に行うことができるからである。
【００１０】
前記連接構造を具備する掘削装置として、例えば特許文献１および２に記載の発明が従来より存在する。この従来技術としての掘削装置においては、ケーシング（１２）の下端部に溶接されたケーシングシュー（１３）内周面から突出する凸部と、リングビット（１４）の外周面に形成された凸部とが直接係合することで前記連接構造を実現している（特許文献１および２の図３等を参照）。なお特許文献１および２の図３に示す「１９」は、緩衝部材であり、上記ケーシングシュー（１３）とリングビット（１４）間の連接構造とは直接関係がない部材である。
【先行技術文献】
【特許文献】
【００１１】
【特許文献１】特開２０１２−１１２１６０号公報
【特許文献２】特開２０１３−１０８２２７号公報
【発明の概要】
【発明が解決しようとする課題】
【００１２】
しかしながら、特許文献１および２に記載の掘削装置が具備する連接構造には、例えばバヨネットマウントやこれに類するねじ込み式構造等の特殊な構造が用いられていた。このため、リングビットおよびケーシングシューの両者に対して複雑な加工を施すことが必要になってしまうなどの問題があった。
【００１３】
本発明は、前記従来技術が抱える問題に鑑み創作されたものであって、その目的は、簡易かつ低廉な構造でありながら相対移動（相対回転および軸方向への相対移動）するリングビットとケーシングシューとを、軸方向に外れることなく確実に連接することができる掘削装置及びその組立方法を提供することにある。
【課題を解決するための手段】
【００１４】
前記目的を達成するため、本発明は、上下に伸長する円管部材からなるケーシングと、このケーシングの下端部に同軸状に接合した円筒部材からなるケーシングシューと、前記ケーシングおよびケーシングシューへ回転可能に挿入されるパイロットビットと、このパイロットビットの下端部外周部分へ継手要素を介して着脱自在に取り付けられるリングビットとを具備する掘削装置において、前記リングビットは、前記ケーシングシューへ挿入されかつ外周面に第１係止部が形成された筒状部を有し、前記ケーシングシューは、前記リングビットの筒状部の外周面と対向しかつ前記第１係止部に対向して位置する第２係止部が形成された内周面を有し、前記リングビットと前記ケーシングシューとは、前記第１係止部と前記第２係止部との間に挿入されかつこれら２つの係止部と干渉する連接部材を介して相対移動可能に接続されていることを特徴としている。
本発明によれば、前記連接部材によって、リングビットとケーシングシューとの相対移動（相対回転および軸方向移動）を可能にしつつ、相互に外れることのない確実な連接が可能になる。
また、本発明によれば、リングビットに形成された第１係止部とケーシングシューに形成された第２係止部との間に連接部材を挿入するという簡単な構成なので、その作成を容易に行うことができる。
さらに、本発明によれば、回転要素であるリングビットの筒状部は非回転要素であるケーシングシューの内側になるので、リングビットの外周面の内、地盤と接する部分はリングビットのケーシングシューの下端から突出している短い長さの部分だけとなる。このため、リングビットを回転した際の掘削抵抗を低く抑えることができ、効率的な掘削を実現することが可能になる。
【００１５】
また本発明は、前記特徴に加え、前記第１係止部が、前記リングビットの筒状部の外周面に形成された溝であり、前記第２係止部は、前記ケーシングシューの内周面に形成された溝であることを特徴としている。
本発明によれば、連接部材が、リングビットの筒状部の外周面に形成された溝とケーシングシューの内周面に形成された溝とに四方を囲まれるようにして収容される。これによって、リングビットとケーシングシューとを連結部材によって容易且つ確実に相対移動可能且つ相互に外れないように連接することができる。
【００１６】
また本発明は、前記特徴に加え、前記連接部材が、円環状のワイヤーからなり、その内周側が前記第１係止部に収納され、かつその外周側が前記第２係止部に収納される寸法に形成されていることを特徴としている。
本発明によれば、ワイヤーという簡易かつ低廉な連接部材を用いてリングビットとケーシングシューとを連接することが可能になる。
【００１７】
また本発明は、前記特徴を有する掘削装置の組立方法であって、前記ケーシングシューにその外周面から前記第２係止部に至るワイヤー挿入孔を開口しておき、このワイヤー挿入孔に前記ケーシングシューの外側から前記ワイヤーを挿入して、このワイヤーを前記第１係止部と前記第２係止部との間に装着することを特徴としている。
本発明によれば、ケーシングシューにワイヤー挿入孔を設けてこれにワイヤーを挿入するという、簡易な方法を用いるだけで、前記掘削装置を簡単に組立てることが可能になる。
【発明の効果】
【００１８】
本発明によれば、簡易かつ低廉な構造でありながら相対移動するリングビットとケーシングシューとを、軸方向に外れることなく確実に連接することができる。
【図面の簡単な説明】
【００１９】
【図１】本発明に係る掘削装置１の組立て手順を示した概略図である。
【図２】本発明に係る掘削装置１を組立てた状態を示す概略図である。
【図３】本発明に係る掘削装置１の底面図である。
【図４】本発明に係る掘削装置１の先端部分の断面図（図３のＡ−Ａ断面図）である。
【図５】パイロットビット５の側面図である。
【図６】リングビット６の平面図である。
【図７】リングビット６の断面図（図６のＢ−Ｂ断面図）である。
【図８】リングビット６の底面図である。
【図９】ケーシングシュー８の底面図である。
【図１０】ケーシングシュー８の断面図（図９のＣ−Ｃ断面図）である。
【図１１】ケーシングシュー８の側面図である。
【図１２】図４中のリングビット６とケーシングシュー８との連接部分の拡大断面図である。
【図１３】リングビット６とケーシングシュー８との連接部分の拡大断面図である。
【図１４】連接部材１０の平面図である。
【図１５】掘削装置１の上端部分に配置された回転止め手段の縦断面概略図である。
【図１６】掘削装置１の上端部分に配置された回転止め手段の横断面概略図である。
【発明を実施するための形態】
【００２０】
以下、本発明の実施形態を、図１ないし１６を参照しながら詳細に説明する。なお、以下の説明中の上下左右および前後は、図２に示される本発明に係る掘削装置を組立てた状態を示す概略図に基づいて定義されるものとする。また、特に記載がない限り上下方向と軸方向は同義である。
【００２１】
本発明の一実施形態に係る掘削装置１は、図１および図２に示されるように、回転駆動源としてのアースオーガ２と、アースオーガ２の回転駆動力を伝達しかつ掘削した土を排出するためのスクリューロッド３と、打ち込みに用いられるダウンザホールハンマー４と、地盤を切削するためのドリル片を備えたパイロットビット５と、このパイロットビット５と着脱自在に接続するリングビット６と、杭として埋め込まれるケーシング７と、このケーシング７の下端部に溶接によって結合するケーシングシュー８とから構成された掘削装置である。
【００２２】
アースオーガ２は、掘削の回転駆動力源として機能する構成部品であって、回転駆動力を発生させる電気モータ（図示せず）と、この電気モータを収容する機器枠体２ｂと、電気モータの回転軸と接続し下方へと延出する出力軸２ｃとから構成されている。前記電気モータの回転軸と接続する出力軸２ｃは、スクリューロッド３の上端部と接続し、これにより、スクリューロッド３の下端部に取付けられたパイロットビット５およびこれと回転伝達可能に接続するリングビット６へと回転駆動力を伝達する。
【００２３】
スクリューロッド３は、アースオーガ２によって生み出された回転駆動力をパイロットビット５およびリングビット６に伝達するとともに、掘削した廃土を地表へ排出する機能を有する構成部品であって、例えば鉄またはその合金等の金属からなり、上下に伸長する円管状のロッド部３ａと、その周囲に形成された螺旋状のスクリュー部３ｂとから構成されている。ロッド部３ａの上端は、アースオーガ２の出力軸２ｃと連結し、スクリューロッド３の下方には、ダウンザホールハンマー４が配設されており、さらにその下端部に後述するパイロットビット５が取付けられている。ここで、ダウンザホールハンマー４は、パイロットビット５に押圧力（打ち込み力）を印加することでこれに下方推進力を付与し、もって迅速かつ効率的な削孔形成を可能にするための構成部品である。
【００２４】
パイロットビット５は、地盤を掘削し削孔を形成するための構成部品であって、例えば鉄またはその合金等の金属からなり、図４および５に示されるように、小径をなす円筒状の駆動軸部５ａと、この駆動軸部５ａの下方にあって大径をなす円盤状のヘッド部５ｂとから構成されている。
【００２５】
前記駆動軸部５ａは、スクリューロッド３のロッド部３ａと接続し、アースオーガ２が具備する電気モータからの回転駆動力が、スクリューロッド３を介して伝達される構造となっている。また、駆動軸部５ａは、ダウンザホールハンマー４と、上下方向(軸方向）に相対移動可能となるよう例えばスプライン嵌合によって接続している。
【００２６】
前記ヘッド部５ｂは、図３に示されるように、その先端面（下端面）に多数の突起状部材からなる中心側ドリル片５ｃが点在するように設けられている。この中心側ドリル片５ｃは、駆動軸部５ａを通じて伝達されたアースオーガ２が具備する電気モータの回転駆動力により回転し、その切削作用で地盤を掘削する部位である。これにより、地表Ｔの下方にある地盤が掘削され削孔が形成される。
【００２７】
また、前記ヘッド部５ｂは、図５に示されるように、その外周面にリングビット６と回転伝達可能な状態で接続（チャッキング）するためのマウント構造（詳細については後述するバヨネットマウント構造）の一部を構成するロック用切欠部５ｇが設けられている。このロック用切欠部５ｇは、例えば周回りに略６０度の等間隔で６箇所配設されており、排出溝５ｅと連通する開口部を有し、かつこの開口部を起点に、アースオーガ２が具備する前記電気モータの回転方向と逆方向（図５では平面視において左回り）へ所定の範囲に延在する凹部として形成されている。このロック用切欠部５ｇは、縦断面形状が縦長の矩形状を呈し、かつ側面視における形状が横長の矩形状を呈し、さらに組付け性を向上させるために、例えば上端部が内側下方に傾斜している。
【００２８】
さらに、前記ヘッド部５ｂは、図４および５に示されるように、その上部にダウンザホールハンマー４からの押圧力（打ち込み力）を受ける部位として、半径方向外方へ円盤状に突出する肩部５ｈが形成されている。この肩部５ｈの下端面５ｉは、後述するケーシングシュー８の上端面８ｃと対向し、ダウンザホールハンマー４からの押圧力（打ち込み力）をこの上端面８ｃへと伝達するように構成されている。
【００２９】
パイロットビット５の内部には、図３および４に示されるように、略中心軸方向に延びるエアー通路５ｄが形成されている。このエアー通路５ｄは、掘削した土を上方へ押し上げるための加圧空気を供給するための通路であり、前記駆動軸部５ａおよびヘッド部５ｂの略軸中心に沿って延在するとともに、前記ヘッド部５ｂの先端部分（下端部分）の近傍において複数（４体）に分岐している。さらにこれら分岐路は、それぞれが前記ヘッド部５ｂの先端面（下端面）において開口するよう形成されている。
【００３０】
前記複数（４体）に分岐したエアー通路５ｄの各開口部からは、図３および４に示されるように、排出溝５ｅが半径方向外方に向かって延設されている。これら複数の排出溝５ｅは、前記ヘッド部５ｂの外周部まで放射状に延出した後、図４および５に示されるように、ヘッド部５ｂの外周面上に沿って上方へと延在し、ヘッド部５ｂの上端面５ｆにおいて開口するよう設けられている。上端面５ｆにおける各排出溝５ｅの開口部は、ケーシング７の内部空間７ａに連通しており、掘削により生じた廃土等が、前記エアー通路５ｄから供給される加圧空気により各排出溝５ｅを通って当該内部空間７ａへ排出されるように構成されている。
【００３１】
リングビット６は、ケーシング７直下の地盤を掘削するための構成部品であって、例えば鉄およびその合金等の金属からなり、図６ないし８に示されるように、リング状を呈したヘッド部６ａと、このヘッド部６ａの上面から上方へ延在する円筒状を呈した筒状部６ｂとから構成されている。
【００３２】
前記ヘッド部６ａは、その先端面（下端面）が地盤と接触する部位であって、先端面（下端面）の外周縁部には、地盤を掘削するための外周縁ドリル片６ｃが設けられている。また、ヘッド部６ａの上面には、詳細については後述するケーシングシュー８の下端と対向する端面６ｅが設けられている。この端面６ｅ上には、前記下端との隙間を埋めるように（換言すれば、端面６ｅと前記下端とに当接するように）、例えば木製、硬質ゴム製または樹脂製のリング状を呈した平板状の部材（後述する緩衝部材１１）が載置され、これによってダウンザホールハンマー４からの強い押圧力（打ち込み力）に起因した衝撃を吸収するように設計されている。
【００３３】
なお、前記ヘッド部６ａの外周面は、図４、７および１２に示されるように、略筒状を呈するものの、下方から上方へ向かうにつれて次第に外径が小さくなるテーパ形状となっている。ヘッド部６ａの外周面を前記テーパ形状としたことで、ヘッド部６ａの外周面と削孔側面との密着が回避され、これによりヘッド部６ａの外周面を通じた土圧の作用が抑えられて掘削措置１にかかる負荷を低減する構造となっている。
【００３４】
前記筒状部６ｂは、ケーシングシュー８の内側に挿入される部位であって、その外周面の中間位置に、縦断面形状が凹状を呈した第１係止部（以下「溝部」という）６ｄが全周にわたってリング状に形成されている。当該溝部６ｄは、後述する連接部材１０の一部を収納する部位であって、その深さは連接部材１０の直径より小さく、またその上下間の幅Ｈ（図７参照）の寸法は、連接部材１０の直径よりも所定寸法大きく構成されている。溝部６ｄは、後述する連接部材１０を三方から囲うことで安定した状態で収容するが、その縦横比は任意である。なお、後述するように、溝部６ｄの幅Ｈ寸法は、連接部材１０の組付け性の観点から定めてもよい。
【００３５】
また、前記筒状部６ｂは、図６に示されるように、パイロットビット５へ着脱自在に取付くバヨネットマウントの一部を形成するロック用突起部６ｆが、その内周面に設けられている。このロック用突起部６ｆは、例えば周回りに略６０度の等間隔で６箇所に配設されており、その周方向長さＬは、組付け性を確保するために、パイロットビット５が備える排出溝５ｅの幅未満に設計されている。また、ロック用突起部６ｆの縦断面形状は、パイロットビット５に形成されたロック用切欠部５ｇの縦断面と相似形の略矩形状を呈しており、組付け性を向上させるために、例えば上端部が内側下方に傾斜した面取部６ｇが設けられている。
【００３６】
ケーシング７は、掘削後にそのまま地表Ｔに立設された状態で本杭として利用される構成部品であって、図１および２に示されるように、例えば鉄およびその合金等の金属から形成された円管状の鋼管からなる。このケーシング７の下端部には、図４に示されるように、ケーシングシュー８が、例えば溶接によって同軸状に接合されている。また、後述するように、ケーシング７の中空状の内部空間７ａには、削孔作業中、その略中心軸回りに回転駆動されるスクリューロッド３およびこれに接続するパイロットビット５が挿入される。
【００３７】
ケーシングシュー８は、ケーシング７の下端部と接合する構成部品であって、例えば鉄およびその合金等の金属から形成された円筒部材からなり、図９および１０に示されるように、上部に形成された小径円筒部としての本体基部８ａと、この本体基部８ａから下方に向かって延出する大径円筒部としての支持部８ｂとから構成されている。なお、本実施形態においては、掘削抵抗を考慮して、支持部８ｂ（大径円筒部）の外周面の半径と本体基部８ａ（小径円筒部）の外周面の半径との寸法差が、例えばケーシング７の板厚分と略同じとなるように設計されている。
【００３８】
前記本体基部８ａは、ケーシング７の下端部内側に挿入される部位であって、図４に示されるように、ケーシング７の下端部先端と対向する外周面において、例えばその全周にわたり溶接Ｗされる。また、本体基部８ａの内側には、図４および１０に示されるように、パイロットビット５のヘッド部５ｂが収容され、その上端面８ｃは、パイロットビット５の肩部５ｈの下端面５ｉと対向しかつこの下端面５ｉを通じてダウンザホールハンマー４からの押圧力（打ち込み力）を受ける構成となっている。
【００３９】
前記支持部８ｂは、その内側にリングビット６の筒状部６ｂを相対移動（回転および上下移動）可能に収容する部位であり、図４および１０に示されるように、その内周面８ｄの内径は、本体基部８ａの内周面の内径よりも大きく、これによって形成された本体基部８ａの内側面下方の下端面と支持部８ｂの内周面８ｄとで囲まれた円形の空間に、リングビット６の筒状部６ｂが収容される構造となっている。
【００４０】
また、前記支持部８ｂの内周面８ｄの中間位置（前記リングビット６の溝部６ｄに対向する位置）には、図４および１０および１２に示されるように、縦断面形状が凹状を呈した第２係止部（以下「溝部」という）８ｅが全周にわたってリング状に形成されている。当該溝部８ｅは、下記する連接部材１０の一部を収納する部位であって、その深さは連接部材１０の直径より小さく、またその上下間の幅寸法は、連接部材１０の直径よりも所定寸法大きく構成されている。溝部８ｅは連接部材１０を三方向から囲うことで安定した状態で収容するが、その縦横比は任意である。
【００４１】
また、前記支持部８ｂの側壁には、図９および１０に示されるように、支持部８ｂの外周面から溝部８ｅに至るワイヤ挿入孔（以下「貫通孔」という）８ｆが設けられている。この貫通孔８ｆは、連接部材１０としてのワイヤー１０ａを、支持部８ｂの外側から内側に挿入して前記溝部６ｄと前記溝部８ｅとの間に装着するための孔である。貫通孔８ｆは、前記装着を容易にするために、挿入されたワイヤー１０ａを、リング状を呈する溝部６ｄ，８ｅの略接線方向へ案内するように平面視において、リング状を呈する溝部６ｄ，８ｅの円周方向に向かって斜めに傾斜する方向を向くように形成されている。
【００４２】
さらに、前記支持部８ｂの外周面には、図９ないし１１に示されるように、上下方向（軸方向）に伸長しかつ半径方向外方に突出する突起部８ｇが、例えば周回りに略４５度の等間隔で８箇所に配設されている。この突起部８ｇを設けることで、ケーシングシュー８と地盤との間の接触抵抗が増大し、ケーシングシュー８およびこれと接合するケーシング７が、その内側に収容するパイロットビット５およびリングビット６に共連れして回転することを防止する効果がもたらされる。なお、当該機能に照らせば、突起部８ｇと地盤との接触面積ができるだけ大きくなるように突起部８ｇを設計することが望ましい。このため、突起部８ｇの形態は、本実施形態に限定されることなく、より多数の突起部８ｇを設けてもよい。また、突起部８ｇの形状として、上下斜めに延在する凸形状、曲線状の凸形状、立方体、直方体、半球面等といった種々の形状が考えられる。なお、掘削時の抵抗を考慮すると、突起部８ｇの最外径は、リングビット６の最外径以下に設計することが求められる。
【００４３】
前記構成部品からなる掘削装置１を用いて削孔作業を実施するための具体的手順を、以下に説明する。
はじめに、図１に示されるように、削孔を行う地盤の地表Ｔに装置固定枠体９を構築する。この装置固定枠体９の略中央には、開口部９ａが開口している。
【００４４】
次に、装置固定枠体９の開口部９ａにケーシング７を挿入してこれを略鉛直に起立させる。次に、予め工場において、ケーシングシュー８の下端部にリングビット６を、後述する連接構造Ｊにより、相対移動（回転移動および上下移動）可能かつ互いが上下方向（軸方向）に外れない状態に取付けておいたものを用意し、そのケーシングシュー８を、ケーシング７の下端に溶接Ｗにより接合する。
【００４５】
ここで前記連接構造Ｊについて説明すると、この連接構造Ｊは、図１２に示すように、リングビット６の筒状部６ｂに形成された溝部６ｄ（第１係止部）と、筒状部６ｂを内側に収容するケーシングシュー８の支持部８ｂに形成された溝部８ｅ（第２係止部）と、溝部６ｄ（第１係止部）と溝部８ｅ（第２係止部）の間に介在する連接部材１０とから構成されている。本実施形態では、連接部材１０として、図１４に示されるような、最終的に溶接によって両端が接続されてリング状となる鉄製ワイヤー１０ａを用いる。
【００４６】
前記連接構造Ｊにおけるリングビット６とケーシングシュー８の連接手順は、以下のとおりである。先ず、リングビット６の筒状部６ｂを緩衝部材１１に挿入してその端面６ｅ上に載置する。次に、ケーシングシュー８の支持部８ｂ内にリングビット６の筒状部６ｂを挿入し、この筒状部６ｂの外周面に形成された凹状の溝部６ｄと、ケーシングシュー８の支持部８ｂに設けられた溝部８ｅとの上下位置（軸方向位置）をあわせる。その後、ケーシングシュー８の外側から、ワイヤー１０ａを貫通孔８ｆに挿入し、凹状の両溝部８ｅ，６ｄの間へワイヤー１０ａを装着する。ここで、貫通孔８ｆは、前述したように、挿入されたワイヤー１０ａをリング状を呈する両溝部６ｄ，８ｅの接線方向へ案内するように形成されているため、前記両溝部６ｄ，８ｅ間へのワイヤー１０ａの装着は、容易なものとなっている。最後に、装着されたワイヤー１０ａの両端Ｐ（図１４参照）を貫通孔８ｆを通じて溶接し、さらに貫通孔８ｆに金属片を埋め込みこれを溶接することで閉塞する。そしてこのリングビット６を取り付けたケーシングシュー８の上端部分を前記略鉛直に起立させたケーシング７の下端部に溶接Ｗにより接合すれば、上記連接構造Ｊが完成する。なお、図１２は、この連接構造Ｊをパイロットビット５に取り付けた後の状態を示しているが、パイロットビット５を取り付ける前は図１３に示すように、リングビット６は少し下降して、ワイヤー１０は溝部６ｄの上端部分と溝部８ｅの下端部分に当接した状態となっているが、外れることはない。
【００４７】
前記連接構造Ｊにおける各部位の寸法関係等は以下のとおりである。すなわち、図１２に示すように、ケーシングシュー８の支持部８ｂにおける内周面８ｄの内径は、筒状部６ｂの外径より大きく、且つワイヤー１０ａの外径Ｄ１０（図１４参照）より小さく設計され、筒状部６ｂの外径は、ワイヤー１０ａの内径ｄ１０（図１４参照）よりも大きく設計されている。また溝部６ｄ，８ｅの幅Ｈ（図１２における上下寸法）は、連接部材１０としてのワイヤー１０ａ自体の高さ（厚み、直径）αの略１５０％となるように設計されている。
【００４８】
前記構成からなる連接構造Ｊにあっては、リングビット６とケーシングシュー８との間に隙間が形成されることで相対回転移動かつ上下移動可能となり、加えて両溝部６ｄ，８ｅ内にワイヤー１０ａを収納することで、リングビット６とケーシングシュー８とが上下方向（軸方向）に所定範囲で相対移動しても、図１３に示すように、両溝部６ｄ，８ｅとワイヤー１０ａが干渉し合うことで、リングビット６とケーシングシュー８とが上下方向（軸方向）に外れない構造となっている。また、ワイヤー１０ａ自体の高さ（厚み）αに対して溝部６ｄ，８ｅの幅Ｈ（図１２における上下寸法）が大きいため、溝部６ｄ，８ｅへのワイヤー１０ａの装着が、より容易なものとなっている。
【００４９】
前記連接構造Ｊによれば、簡易かつ低廉な構造でありながら相対移動（相対回転および軸方向移動）するリングビット６とケーシングシュー８とを、強固かつ確実に連接することができる。また、リングビット６およびケーシングシュー８の強度・剛性を低下させることなく組立容易な連接構造を提供することができる。
【００５０】
また、前記連接構造Ｊによれば、リングビット６に形成された第１係止部としての溝部６ｄとケーシングシュー８に形成された第２係止部としての溝部８ｅとの間に連接部材１０としてのワイヤー１０ａが介在することから、第１係止部と第２係止部とが互いに直接当接するような対向する形状であることが不要となり、リングビット６およびケーシングシュー８の加工性および強度・剛性を向上できる一方、連結部材１０としてのワイヤー１０ａを通じて簡易かつ低廉な構造でありながら、強固かつ確実な連接を可能にする構造を容易に実現することができる。
【００５１】
さらに、前記連接構造Ｊによれば、この連接構造Ｊを設けるためにリングビット６の上下寸法を伸長させても、伸張させた部分は、ケーシングシュー８の内側に位置するので、これを回転しても、掘削時に回転抵抗が増えることはない。したがって、前記連接構造Ｊによれば、所定の範囲で相対移動可能でありながら強固かつ確実な接続が行える連接構造と、地盤と回転接触することで生じる掘削時の抵抗が低く抑えられた構造とを両立することが構造的に可能かつ容易である。
【００５２】
また、前記連接構造Ｊによれば、この連接構造Ｊを内側に配設したケーシングシュー８の外周面は、土壌と接することになるため、内部に収容するパイロットビット５（およびスクリューロッド３）に共連れしてケーシングシュー８（およびこれに接合するケーシング７）が回転することを防止するための突起部８ｇを、この外周面に設けることが構造的に可能かつ容易である。また、前記連接構造Ｊによれば、ケーシングシュー８の上下寸法を自由に設定できることから、突起部８ｇの上下寸法を広範囲で伸長でき、したがって、共連れ回転をより効果的に防止することが可能かつ容易である。
【００５３】
図１、図２に戻って、前記装置固定枠体９の構築およびケーシング７の起立およびケーシング７へのケーシングシュー８などの取付作業と並行して、アースオーガ２、スクリューロッド３、ダウンザホールハンマー４およびパイロットビット５とからなるアセンブリを、図１に示されているような所定の形に組立てる。具体的は、最上部にアースオーガ２を配設し、このアースオーガ２が備える出力軸２ｂにスクリューロッド３の一端部を接続し、さらにこのスクリューロッド３の他端部にダウンザホールハンマー４を接続し、さらにこのダウンザホールハンマー４の下方に、パイロットビット５の駆動軸部５ａを、例えばスプライン嵌合等によって上下方向(軸方向）へ相対移動可能かつ回転伝達可能に取り付ける。これにより、最上部にアースオーガ２が配設され、その下方にスクリューロッド３およびダウンザホールハンマー４が接続され、さらにその下方にパイロットビット５が取付けられたアセンブリが組み上がる。
【００５４】
そして、前記アセンブリをクレーンで吊しながら起立したケーシング７内へと挿入する。このとき、アースオーガ２を上にパイロットビット５を下にして挿入し、下記する方法でパイロットビット５をリングビット６に接続する。これによって、図２で示されるように、掘削装置１が組み上がる。
【００５５】
図２で示される掘削装置１においては、前記アセンブリの上端部に位置するアースオーガ２が、ケーシング７の上端部分に連結されている。このときアースオーガ２の機器枠体２ｂが内部に収容する電気モータの回転に共連れして回転しないように、例えば図１５および１６に示されるように、回転止め手段としての回転止めキャップ２０を介してケーシング７の上端部分に連結されている。この回転止めキャップ２０は、上方が閉塞し下方が開口する中空円筒状部材からなるキャップ本体２０ａを有し、上方にアースオーガ２の機器枠体２ｂの下端部が溶接等により固定され、内周面に中心軸に向かって内方に突出するキャップ側回転係合板２０ｂが円周方向に沿って略等間隔で複数設けられている。一方ケーシング７の上端部の外周面には、前記キャップ側回転係合板２０ｂと係合するための部位として、中心軸から外方に突出するケーシング側回転係合板７ｂが円周方向に沿って略等間隔で複数設けられている。そして、この回転止めキャップを構成しているキャップ本体２０ａは、当該キャップ本体２０ａの下端側に設けられた開口部から、ケーシング７の上端部分の外方側を覆うように外嵌されることによって装着される構造となっている。
【００５６】
また、図２で示される掘削装置１においては、前記アセンブリの下端部に位置するパイロットビット５が、ケーシングシュー８を介してケーシング７の下方に取付けられたリングビット６に、バヨネットマウントを用いて着脱自在に接続（チャッキング）されている。当該バヨネットマウント構造について詳述すると、パイロットビット５の外周面には、前述したように、ロック用切欠部５ｇが、周回りに略６０度の等間隔で所定の範囲、すなわち、排出溝５ｅを起点に前記電気モータの回転方向と逆の方向（図５では平面視において左回りの方向）へ例えば２０度回転した範囲に６箇所設けられ、また、リングビット６における内周壁面には、前述したように、ロック用突起部６ｆが周回りに略６０度の等間隔で所定の範囲に６箇所設けられている（図５ないし８参照）。
【００５７】
前記構成からなるバヨネットマウント構造を用いた接続手順は、以下のとおりである。先ずはじめに、リングビット６のロック用突起部６ｆとパイロットビット５が備える排出溝５ｅとが、平面視において重なるように位置合わせする（当該位置は、ロック用切欠部５ｇおよびロック用突起部６ｆどうしが非嵌合状態となる角度位置である）。その状態でリングビット６のロック用突起部６ｆとパイロットビット５のロック用切欠部５ｇとが、側面視において同じ高さとなるよう双方または一方を軸方向に移動させる。その後、パイロットビット５を静止させた状態で、リングビット６をロック用切欠部５ｇが延在する所定の方向（図５では平面視において左回り。当該回転方向は、電気モータの回転方向と逆の回転方向）へ例えば２０度回転させる（リングビット６を静止させた状態でパイロットビット５を回転させる場合には、平面視において右回りに例えば２０度回転させる）。これにより、リングビット６の突起部６ｆとパイロットビット５のロック用切欠部５ｇとが嵌合状態となる。なお、当該嵌合状態を解除するには、平面視において、リングビット６のロック用突起部６ｆがパイロットビット５の排出溝５ｅの位置にくるように、リングビット６を前記所定の方向と逆の右周りに例えば２０度回転（または、パイロットビット５を平面視において左回りに例えば２０度回転）させればよい。これによって、掘削装置１の組立作業が終了する。
【００５８】
前記掘削装置１の組立作業を経た後、杭芯に位置合せた状態でアースオーガ２が備える電気モータを起動させて削孔作業を開始する。前記電気モータの回転駆動力は、出力軸２ｃに接続するスクリューロッド３を介してパイロットビット５およびこれに接続するリングビット６へと伝達され、パイロットビット５が備える中心側ドリル片５ｃおよびリングビット６が備える外周縁ドリル片６ｃによって地盤を掘削する。掘削された土は、エアー通路５ｄを通じて送り込まれる加圧空気とともに排出溝５ｅを通って上方へと押し上げられ、スクリューロッド３が備えるスクリュー部３ｂに乗って地表へと運ばれ排出される。
【００５９】
前記掘削と同時に、ダウンザホールハンマー４からの押圧力（打ち込み力）を、例えば毎秒３回の周期で、パイロットビット５のヘッド部５ｂ上方に形成された肩部５ｈの上端面５ｆに印加する。この押圧力（打ち込み力）は、肩部５ｈの下端面５ｉを通じてこれと対向するケーシングシュー８の上端面８ｃに伝達され、さらにケーシングシュー８と接合するケーシング７へと付与される。これにより、パイロットビット５およびリングビット６の掘削により形成された削孔にケーシング７およびケーシングシュー８が効率的に下方に向けて打ち込まれる。これら一連の作業によって削孔作業が進められる。
【００６０】
なお、本発明に係る掘削装置１においては、前記ケーシング７およびケーシングシュー８を下方に向けて打ち込む力が、連接構造Ｊを通じても伝達され得る。すなわち、ダウンザホールハンマー４からの押圧力（打ち込み力）は、パイロットビット５を通じて前記バヨネットマインで接続するリングビット６へと伝達された後、連接構造Ｊを介してケーシングシュー８およびこれと接合するケーシング７へと伝達される。当該連接構造Ｊを介した力の伝達は、作業完了後に回収されて繰り返し再利用されるパイロットビット５にあってはその肩部５ｈ（より具体的には肩部５ｈの下端面５ｉ）が磨耗し、当該部分を介しての前記伝達経路が十分に機能しなくなった場合に特に重要となる。リングビット５およびケーシングシュー８の強度・剛性を低下させることなく強固な連接を可能にする連接構造Ｊによれば、当該力の伝達機能を確実に果たすことができる。
【００６１】
前記削孔作業を円滑かつ効率的に進めるためには、掘削した土を迅速に排出することが必須であり、そのためには、加圧空気の押力が廃土へ有効に作用し、当該加圧空気に乗って廃土が効率的に押し上げられることが望ましいが、これを可能にするためには、ケーシング７が、内部に収容する回転要素としてのパイロットビット５およびリングビット６に共連れして回転しない構造が必要とされている。ここで、本発明の連接構造Ｊは、回転部品であるリングビット６の筒状部６ｂが内側に、非回転部品であるケーシングシュー８の支持部８ｂが外側に配置されるように構成されている。このため、連接構造Ｊは、ケーシングシュー８の支持部８ｂにおける外周面に、十分な長さの突起部８ｇを容易に設けることが可能であるといった構造的特徴を有している。所定の長さの突起部８ｇが設けられたことで、ケーシングシュー８と地盤との間の接触抵抗、特にケーシングシュー８が回転することを抑止する方向に働く接触抵抗が増大し、ケーシングシュー８およびこれと接合するケーシング７が、その内部に収容する回転要素としてのパイロットビット６およびリングビット５に共連れして回転することを効果的に防止できるといった効果がもたらされる。当該効果は、前述したように、連接構造Ｊが具備する前記構造的特徴に起因したものである（段落「００５３」参照）。
【００６２】
なお、本発明と異なり、回転部品であるリングビット６の筒状部６ｂが外側に配置され、この内側にケーシングシュー８の支持部８ｂを挿入するようにして構成された連接構造の場合、土壌と接する突起部８ｇをケーシングシュー８の外周面に、十分な長さで設けることは構造的に困難であり、よってケーシングシュー８およびこれと接合するケーシング７の共連れよる回転を防止するだけの十分な接触抵抗を、突起部８ｇによって生じさせることは困難である。
【００６３】
また、前記突起部８ｇによるケーシング７の回転止め構造は、比較的薄い板材からなるケーシング７に直接加工を施す必要がないため、生産性に優れるといった利点がある。すなわち、特許文献１に記載の発明が具備するケーシングの回転止め手段（第２回転止め手段）では、回転ローラ（２２）と係合する回転係合溝（１２ｂ）を、ケーシング（１２）の外周面に形成する必要があるものの、薄肉の板材からなるケーシングの外周面に、一定の深さを要する回転係合溝（１２ｂ）を成形するのは容易でなく、生産性が著しく悪化する（実質的に生産不可能）といったことが問題になるが、本実施形態に係る掘削装置１にあっては、前述したように、ケーシング７に直接加工を施す必要がないためこのような問題が生じることはない。
【００６４】
また、本実施形態に係る掘削装置１においては、ケーシングシュー８の下端とリングビット６の端面６ｅとの隙間を埋めるように（換言すれば、端面６ｅと前記下端とに当接するように）、緩衝部材１１が載置されている。これによって、ダウンザホールハンマー４からの強い押圧力（打ち込み力）に起因した前記ケーシングシュー８の下端とリングビット６の端面６ｅとの衝突による衝撃が吸収され、掘削孔作業中の騒音・振動が効果的に抑制されるといった効果がもたらされる。
【００６５】
前記削孔作業により、ケーシング７は地中内に埋め込まれるようにして起立させられる。削孔が予定の深さに達したら、パイロットビット５とリングビット６との接続（チャッキング）を解除し、パイロットビット５、スクリューロッド３およびダウンザホールハンマー４を引き抜いてこれら部位を回収する。一方、ケーシング７、ケーシングシュー８およびリングビット６は、地中に残したまま本杭として利用される。
【００６６】
本発明は、前記実施形態に限定されるわけではなく、特許請求の範囲、明細書及び図面に記載された技術的思想の範囲内で種々の変形が可能である。また、前記実施形態は、その目的及び構成等に矛盾がない限り、互いに構成を組み合わせることも可能である。また、前記記載及び図面によって示された内容は、その一部であっても、それぞれが独立した実施形態になり得るものであり、本発明の実施形態は、前記記載及び図面によって示された内容を組み合わせた一つの実施形態に限定されるものではない。
【００６７】
例えば、上記連接構造Ｊを構成する溝部６ｄの代わりに、下側が凹むリング状の段差部（即ち、溝部６ｄの下側の段差部がない状態）とし、溝部８ｅの代わりに、上側が凹むリング状の段差部（即ち、溝部８ｅの上側の段差部がない状態）としても良い。要は、第１，第２係止部は、それらの間に挿入された連接部材が干渉して相対移動可能に接続できる構成であれば、どのような構成であっても良い。
【符号の説明】
【００６８】
１：掘削装置
２：アースオーガ
３：スクリューロッド
４：ダウンザホールハンマー
５：パイロットビット
５ａ：駆動軸部
５ｂ：ヘッド部
６：リングビット
６ａ：ヘッド部
６ｂ：筒状部
６ｄ：溝部（第１係止部）
７：ケーシング
８：ケーシングシュー
８ａ：本体基部
８ｂ：支持部
８ｄ：内周面
８ｅ：溝部（第２係止部）
８ｆ：貫通孔（ワイヤー挿入孔）
８ｇ：突起部
９：装置固定枠体
１０：連接部材
１０ａ：ワイヤー
１１：緩衝部材
Ｊ：連接構造
【図１】
2019112833.tif 000003
【図２】
2019112833.tif 000004
【図３】
2019112833.tif 000005
【図４】
2019112833.tif 000006
【図５】
2019112833.tif 000007
【図６】
2019112833.tif 000008
【図７】
2019112833.tif 000009
【図８】
2019112833.tif 000010
【図９】
2019112833.tif 000011
【図１０】
2019112833.tif 000012
【図１１】
2019112833.tif 000013
【図１２】
2019112833.tif 000014
【図１３】
2019112833.tif 000015
【図１４】
2019112833.tif 000016
【図１５】
2019112833.tif 000017
【図１６】
2019112833.tif 000018
【手続補正書】
【提出日】平成30年4月2日(2018.4.2)
【手続補正１】
【補正対象書類名】明細書
【補正対象項目名】００１４
【補正方法】変更
【補正の内容】
【００１４】
前記目的を達成するため、本発明は、上下に伸長する円管部材からなるケーシングと、このケーシングの下端部に同軸状に接合した円筒部材からなるケーシングシューと、前記ケーシングおよびケーシングシューへ回転可能に挿入されるパイロットビットと、このパイロットビットの下端部外周部分へ継手要素を介して着脱自在に取り付けられるリングビットとを具備する掘削装置において、前記リングビットは、前記ケーシングシューへ挿入されかつ外周面に第１係止部が形成された筒状部を有し、前記ケーシングシューは、前記リングビットの筒状部の外周面と対向しかつ前記第１係止部に対向して位置する第２係止部が形成された内周面を有し、前記リングビットと前記ケーシングシューとは、前記第１係止部と前記第２係止部との間に挿入されかつこれら２つの係止部と干渉する連接部材を介して相対移動可能に接続されており、さらに前記連接部材は、円環状のワイヤーからなり、その内周側が前記第１係止部に収納され、かつその外周側が前記第２係止部に収納される寸法に形成されていることを特徴としている。
本発明によれば、前記連接部材によって、リングビットとケーシングシューとの相対移動（相対回転および軸方向移動）を可能にしつつ、相互に外れることのない確実な連接が可能になる。
また、本発明によれば、リングビットに形成された第１係止部とケーシングシューに形成された第２係止部との間に連接部材を挿入するという簡単な構成なので、その作成を容易に行うことができる。
さらに、本発明によれば、回転要素であるリングビットの筒状部は非回転要素であるケーシングシューの内側になるので、リングビットの外周面の内、地盤と接する部分はリングビットのケーシングシューの下端から突出している短い長さの部分だけとなる。このため、リングビットを回転した際の掘削抵抗を低く抑えることができ、効率的な掘削を実現することが可能になる。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】変更
【補正の内容】
【００１６】
さらに、本発明によれば、ワイヤーという簡易かつ低廉な連接部材を用いてリングビットとケーシングシューとを連接することが可能になる。
【手続補正４】
【補正対象書類名】特許請求の範囲
【補正対象項目名】全文
【補正方法】変更
【補正の内容】
【特許請求の範囲】
【請求項１】
上下に伸長する円管部材からなるケーシングと、
このケーシングの下端部に同軸状に接合した円筒部材からなるケーシングシューと、
前記ケーシングおよびケーシングシューへ回転可能に挿入されるパイロットビットと、
このパイロットビットの下端部外周部分へ継手要素を介して着脱自在に取り付けられるリングビットとを具備する掘削装置において、
前記リングビットは、前記ケーシングシューへ挿入されかつ外周面に第１係止部が形成された筒状部を有し、
前記ケーシングシューは、前記リングビットの筒状部の外周面と対向しかつ前記第１係止部に対向して位置する第２係止部が形成された内周面を有し、
前記リングビットと前記ケーシングシューとは、前記第１係止部と前記第２係止部との間に挿入されかつこれら２つの係止部と干渉する連接部材を介して相対移動可能に接続されており、
さらに前記連接部材は、円環状のワイヤーからなり、その内周側が前記第１係止部に収納され、かつその外周側が前記第２係止部に収納される寸法に形成されていることを特徴とする掘削装置。
【請求項２】
請求項１に記載の掘削装置の組立方法であって、
前記ケーシングシューにその外周面から前記第２係止部に至るワイヤー挿入孔を開口しておき、このワイヤー挿入孔に前記ケーシングシューの外側から前記ワイヤーを挿入して、このワイヤーを前記第１係止部と前記第２係止部との間に装着することを特徴とする掘削装置の組立方法。